(57)【要約】【課題】デジタル放送受信装置において、ＰＩＰ映像のメイン画面に表示しているデジタル信号の受信状態が所定以下に低下した場合であっても、電波状況に合わせて最適な映像をメイン画面に表示する。【解決手段】デジタル放送受信装置は、１２セグチューナと１セグチューナとＰＩＰ映像生成部と信号の受信状態を判定する受信状態判定部とを有する。受信状態判定部が、１２セグデジタル信号のエラーレートを判定し（Ｓ１）、このエラーレートが誤り訂正可能な範囲を超えている場合（Ｓ２でＮＯ）、１セグデジタル信号の受信状態を判定する（Ｓ３）。この判定の結果、１セグデジタル信号よりも１２セグデジタル信号の受信状態の方が悪化している場合（Ｓ４でＹＥＳ）、ＰＩＰ映像生成部が、メイン画面に１セグ映像を表示させると共に、サブ画面に１２セグ映像を表示させるＰＩＰ映像を生成する（Ｓ５）。生成されたＰＩＰ映像がディスプレイに表示される（Ｓ６）。【選択図】図 ４
2009272880.tif 000002
【特許請求の範囲】
【請求項１】
複数の放送局から配信される１２セグメントのデジタルテレビ放送信号（以下、デジタルＴＶ放送信号）のうちの１つを受信する第１デジタルチューナと、
前記第１デジタルチューナによって受信された前記デジタルＴＶ放送信号を第１デジタル信号に復調する第１復調手段と、
複数の放送局から配信される１セグメントのデジタルＴＶ放送信号のうちの１つを受信する第２デジタルチューナと、
前記第２デジタルチューナによって受信された前記デジタルＴＶ放送信号を第２デジタル信号に復調する第２復調手段と、
前記第１復調手段及び第２復調手段によって復調された第１及び第２デジタル信号を用いて、メイン画面の一部にサブ画面がオーバーラップするようなピクチャ・イン・ピクチャ（ＰＩＰ）映像を生成するためのＰＩＰ映像生成手段と、
前記ＰＩＰ映像生成手段により生成された前記ＰＩＰ映像、前記第１デジタル信号に含まれる映像信号に基づく第１映像、又は前記第２デジタル信号に含まれる映像信号に基づく第２映像を表示する映像表示手段とを備えたデジタル放送受信装置において、
前記第１復調手段により復調された前記第１デジタル信号、及び前記第２復調手段により復調された前記第２デジタル信号のそれぞれの信号の受信状態を判定する受信状態判定手段をさらに備え、
前記ＰＩＰ映像生成手段が、前記メイン画面に前記第１映像を表示させつつ、前記サブ画面に前記第２映像を表示させるＰＩＰ映像を生成し、前記映像表示手段がこのＰＩＰ映像を表示すると共に、
前記受信状態判定手段が、前記第１デジタル信号の受信状態を判定し、その判定の結果、所定の状態よりも悪化しているとき、前記第２デジタル信号の受信状態を判定し、その判定の結果、該第２デジタル信号の受信状態が前記第１デジタル信号の受信状態よりも悪化していない場合、
前記ＰＩＰ映像生成手段が、前記メイン画面に前記第２映像を表示させつつ、前記サブ画面に前記第１映像をさせるＰＩＰ映像を生成し、前記映像表示手段がこのＰＩＰ映像を表示することを特徴とするデジタル放送受信装置。
【請求項２】
前記受信状態判定手段は、ＢＥＲ（Ｂｉｔ  Ｅｒｒｏｒ  Ｒａｔｅ）値を用いて、前記第１デジタル信号及び前記第２デジタル信号の受信状態を判定することを特徴とする請求項１に記載のデジタル放送受信装置。
【発明の詳細な説明】
【技術分野】
【０００１】
本発明は、デジタル放送受信装置に関し、特に受信状態の良いチューナが受信した映像をＰＩＰ映像のメイン画面として表示させるデジタル放送受信装置に関する。
【背景技術】
【０００２】
従来から、デジタルテレビ放送信号（以下、デジタルＴＶ放送信号）の１２セグメントを受信できるデジタルチューナと、１セグメントを受信できるデジタルチューナとを備え、１２セグメントによるデジタルＴＶ放送信号の映像信号に基づく映像を出力しているときに、１２セグメントによるデジタルＴＶ放送信号のエラーレート等の受信状態が閾値以下に低下した場合に、１セグメントによるデジタルＴＶ放送信号の映像信号に基づく映像に切り替えるデジタル放送受信装置が知られている（例えば、特許文献１乃至３参照）。
【０００３】
しかし、この種のデジタル放送受信装置では、１２セグメントによる受信状態が閾値以下に低下した場合、１セグメントによる受信状態に係わらず、１セグメントによる映像に切り替えるため、１セグメントによる受信状態が１２セグメントによる受信状態よりも悪化している場合、１セグメントによる映像に切り替えることによって、さらにノイズ等が発生している映像が表示されることがある。
【０００４】
これに対して、特許文献４には、デジタルＴＶ放送信号の１２セグメントを受信できるデジタルチューナと、１セグメントを受信できるデジタルチューナとを備え、１２セグメントによるデジタルＴＶ放送信号の映像信号に基づく映像を出力しているときに、１２セグメントによるデジタルＴＶ放送信号の受信状態が所定以下に低下したときに、１セグメントによる受信状態と１２セグメントによる受信状態とを比較し、１セグメントによる受信状態の方が低下していない場合に、１２セグメントから１セグメントに切り替えて映像を出力するデジタル放送受信装置が開示されている。従って、このデジタル放送受信装置によれば、上記問題を解決できる。
【０００５】
ところで、近年、ピクチャ・イン・ピクチャ（ＰＩＰ）映像、すなわち、表示画面全体に表示された画面（以下、メイン画面）の一部に重なり合うように、メイン画面の数分の１の大きさの別画面（以下、サブ画面）を所定の位置、例えば、右下隅等に表示するデジタル放送受信装置が知られている。
【０００６】
この種のデジタル放送受信装置は、１２セグメントにより受信された映像をメイン画面として表示し、１セグメントにより受信された映像をサブ画面に表示することが一般的である。この種のデジタル放送受信装置においても、１２セグメントによるデジタル放送の受信状態が所定以下に低下した場合、メイン画面の映像にノイズが増加した映像が表示されるという問題がある。しかし、上記特許文献４には、ＰＩＰ映像による表示を行う場合についての開示がない。
【特許文献１】特開２００７−２６７０２７号公報
【特許文献２】特開２００７−１８９４９７号公報
【特許文献３】特開２００７−３３６０７９号公報
【特許文献４】特開２００５−２７７８７３号公報
【発明の開示】
【発明が解決しようとする課題】
【０００７】
本発明は、上述した問題点を解決するためになされたものであり、ＰＩＰ映像のメイン画面に表示しているデジタル信号の受信状態が所定以下に低下した場合であっても、電波状況に合わせて最適な映像をメイン画面に表示することができるデジタル放送受信装置を提供することを目的とする。
【課題を解決するための手段】
【０００８】
上記目的を達成するために請求項１の発明は、複数の放送局から配信される１２セグメントのデジタルテレビ放送信号（以下、デジタルＴＶ放送信号）のうちの１つを受信する第１デジタルチューナと、前記第１デジタルチューナによって受信された前記デジタルＴＶ放送信号を第１デジタル信号に復調する第１復調手段と、複数の放送局から配信される１セグメントのデジタルＴＶ放送信号のうちの１つを受信する第２デジタルチューナと、前記第２デジタルチューナによって受信された前記デジタルＴＶ放送信号を第２デジタル信号に復調する第２復調手段と、前記第１復調手段及び第２復調手段によって復調された第１及び第２デジタル信号を用いて、メイン画面の一部にサブ画面がオーバーラップするようなピクチャ・イン・ピクチャ（ＰＩＰ）映像を生成するためのＰＩＰ映像生成手段と、前記ＰＩＰ映像生成手段により生成された前記ＰＩＰ映像、前記第１デジタル信号に含まれる映像信号に基づく第１映像、又は前記第２デジタル信号に含まれる映像信号に基づく第２映像を表示する映像表示手段とを備えたデジタル放送受信装置において、前記第１復調手段により復調された前記第１デジタル信号、及び前記第２復調手段により復調された前記第２デジタル信号のそれぞれの信号の受信状態を判定する受信状態判定手段をさらに備え、前記ＰＩＰ映像生成手段が、前記メイン画面に前記第１映像を表示させつつ、前記サブ画面に前記第２映像を表示させるＰＩＰ映像を生成し、前記映像表示手段がこのＰＩＰ映像を表示すると共に、前記受信状態判定手段が、前記第１デジタル信号の受信状態を判定し、その判定の結果、所定の状態よりも悪化しているとき、前記第２デジタル信号の受信状態を判定し、その判定の結果、該第２デジタル信号の受信状態が前記第１デジタル信号の受信状態よりも悪化していない場合、前記ＰＩＰ映像生成手段が、前記メイン画面に前記第２映像を表示させつつ、前記サブ画面に前記第１映像をさせるＰＩＰ映像を生成し、前記映像表示手段がこのＰＩＰ映像を表示するものである。
【０００９】
請求項２に記載の発明は、請求項１に記載のデジタル放送受信装置において、前記受信状態判定手段は、ＢＥＲ（Ｂｉｔ  Ｅｒｒｏｒ  Ｒａｔｅ）値を用いて、前記第１デジタル信号及び前記第２デジタル信号の受信状態を判定するものである。
【発明の効果】
【００１０】
本発明によれば、ＰＩＰ映像生成手段が、メイン画面に第１映像を表示させつつ、サブ画面に第２映像を表示させるＰＩＰ映像を生成し、映像表示手段がこのＰＩＰ映像を表示すると共に、受信状態判定手段が、第１デジタル信号の受信状態を判定する。そして、その判定の結果、所定の状態よりも悪化しているとき、受信状態判定手段が、第２デジタル信号の受信状態を判定し、その判定の結果、第２デジタル信号の受信状態が第１デジタル信号の受信状態よりも悪化していない場合、ＰＩＰ映像生成手段が、メイン画面に第２映像を表示させつつ、サブ画面に第１映像をさせるＰＩＰ映像を生成し、映像表示手段がこのＰＩＰ映像を表示する。
【００１１】
そのため、ＰＩＰ映像のメイン画面に表示されている第１映像の受信状態が所定の状態より悪化したとき、第２映像の受信状態が第１映像の受信状態よりも低下していない場合に、メイン画面に第２映像が表示される。従って、デジタルＴＶ放送信号の受信状態に合わせた視認性の良い映像をメイン画面に表示することができるため、ユーザにとって使い勝手が良くなる。
【発明を実施するための最良の形態】
【００１２】
以下、本発明の一実施形態に係るテレビジョン（以下、ＴＶ）受像機（デジタル放送受信装置）について、図１及び図２を参照して説明する。図１は、ＴＶ受像機１の内部構成を示すブロック図であり、図２は、デジタルチューナ部１４の内部構成を示すブロック図である。
【００１３】
ＴＶ受像機１は、図１に示すように、複数の放送局から配信されるデジタルテレビ放送信号（以下、デジタルＴＶ放送信号）を受信するデジタルチューナ部１４と、デジタルチューナ部１４によって受信されたデジタルＴＶ放送信号に含まれる映像信号に基づいた映像を表示するディスプレイ（映像表示手段）１１と、デジタルチューナ部１４によって受信されたデジタルＴＶ放送信号に含まれる音声信号に基づいた音声を出力するスピーカ１２とを備える。
【００１４】
また、ＴＶ受像機１は、装置本体とは別体となるリモコン装置３から送信された操作信号を受信する受信部１５と、装置各部の制御を行うための制御部１０と、制御部１０を動作させるためのプログラム等を記憶するためのメモリ１３とをさらに備える。
【００１５】
デジタルチューナ部１４は、図２に示すように、外部の第１アンテナ２１に接続され、複数の放送局から配信される１２セグメントのデジタルＴＶ放送信号のうちの１つを受信する１２セグチューナ（第１デジタルチューナ）２２と、１２セグチューナ２２によって受信されたデジタルＴＶ放送信号をデジタル信号（以下、１２セグデジタル信号という；請求項における第１デジタル信号）に復調する第１復調部（第１復調手段）２３とを有する。
【００１６】
また、デジタルチューナ部１４は、外部の第２アンテナ３１に接続され、複数の放送局から配信される１セグメントのデジタルＴＶ放送信号のうちの１つを受信する１セグチューナ（第２デジタルチューナ）３２と、１セグチューナ３２によって受信されたデジタルＴＶ放送信号をデジタル信号（以下、１セグデジタル信号という；請求項における第２デジタル信号）に復調する第２復調部（第２復調手段）３３とをさらに有する。第１復調部及び第２復調部によって復調された１２セグデジタル信号及び１セグデジタル信号は制御部１０に出力される。
【００１７】
制御部１０は、１２セグデジタル信号及び１セグデジタル信号を用いて、メイン画面１１ａ（図３参照）の一部にサブ画面１１ｂ（図３参照）がオーバーラップするようなピクチャ・イン・ピクチャ（ＰＩＰ）映像を生成するＰＩＰ映像生成部（ＰＩＰ映像生成手段）１０ａと、スピーカ１２に出力する音声を切替えることができる音声出力切替部１０ｂと、１２セグデジタル信号及び１セグデジタル信号のそれぞれの信号の受信状態を判定する受信状態判定部（受信状態判定手段）１０ｃとをさらに有する。
【００１８】
ＰＩＰ映像生成部１０ａにより生成されたＰＩＰ映像は、ディスプレイ１１に出力されて表示される。ＰＩＰ映像生成部１０ａは、メイン画面１１ａ及びサブ画面１１ｂに、１２セグデジタル信号に含まれる映像信号に基づく映像（以下、１２セグ映像という；請求項における第１映像）、又は１セグデジタル信号に含まれる映像信号に基づく映像（以下、１セグ映像という；請求項における第２映像）のいずれかの映像を任意に組み合わせて表示させることができる。なお、ディスプレイ１１は、１２セグ映像、又は１セグ映像のいずれかのみを表示してもよい。
【００１９】
音声出力切替部１０ｂは、１２セグデジタル信号に含まれる音声信号に基づく音声（以下、１２セグ音声という）、又は１セグデジタル信号に含まれる音声信号に基づいた音声（以下、１セグ音声という）のどちらをスピーカ１２に出力させるか切替えることができる。スピーカ１２から出力する音声は、ユーザがリモコン装置３を操作することにより切替えることができる。なお、音声出力切替部１０ｂは、１２セグ音声と１セグ音声の両方を同時にスピーカ１２に出力してもよい。また、音声出力切替部１０ｂは、ＰＩＰ映像生成部１０ａによって生成されたＰＩＰ映像がディスプレイ１１に表示されているときだけ機能するものであってもよい。
【００２０】
受信状態判定部１０ｃは、１２セグデジタル信号及び１セグデジタル信号のＢＥＲ（Ｂｉｔ  Ｅｒｒｏｒ  Ｒａｔｅ；以下、エラーレートという）を算出し、算出したエラーレートから１２セグチューナ２２及び１セグチューナ３２のデジタルＴＶ放送信号の受信状態を判定する。具体的には、エラーレートが、予め設定された誤り訂正可能な値の範囲を超えている場合、デジタルＴＶ放送信号の受信状態が悪化しており、映像にノイズが発生したり、音声信号に基づいた音声に音の途切れが発生したりしているものと判定する。
【００２１】
また、ディスプレイ１１にＰＩＰ映像を表示している場合に、受信状態判定部１０ｃが、メイン画面に表示している映像のデジタルＴＶ放送信号の受信状態が悪化していると判定したとき、ＰＩＰ映像生成部１０ａが、メイン画面１１ａに表示する映像を切替える処理を行う。この処理の詳細については後述する。
【００２２】
次に、ディスプレイ１１に表示されるＰＩＰ映像について、図３を参照して説明する。図３の１１ａはメイン画面を示し、１１ｂはサブ画面を示す。メイン画面１１ａは、ディスプレイ１１の表示領域全体に表示された画面であり、サブ画面１１ｂは、メイン画面１１ａの一部に重なり合うように、例えば１０分の１の大きさで、メイン画面１１ａの表示領域の左下隅に表示される。なお、メイン画面１１ａの大きさ、及びサブ画面１１ｂの大きさと位置はこれに限られず、任意の値であってよい。
【００２３】
図３（ａ）は、１２セグチューナ２２によって受信された、例えばＡ放送局から配信されたデジタルＴＶ放送信号に基づく１２セグ映像がメイン画面１１ａに表示されており、１セグチューナ３２によって受信された、例えばＢ放送局から配信されたデジタルＴＶ放送信号に基づく１２セグ映像がサブ画面１１ｂに表示されている。
【００２４】
また、図３（ｂ）は、１セグチューナ３２によって受信された、例えばＢ放送局から配信された、デジタルＴＶ放送信号に基づく１セグ映像がメイン画面１１ａに表示されており、１２セグチューナ２２によって受信された、例えばＡ放送局から配信されたデジタルＴＶ放送信号に基づく１２セグ映像がサブ画面１１ｂに表示されている。
【００２５】
次に、１２セグチューナ２２及び１セグチューナ３２により受信されたデジタルＴＶ放送信号の受信状態によるＰＩＰ映像の切替処理の手順について、図４に示すフローチャートを参照して説明する。
【００２６】
まず、受信状態判定部１０ｃが、１２セグデジタル信号のエラーレートを判定し（Ｓ１）、その判定の結果、エラーレートが誤り訂正可能な範囲である場合（Ｓ２でＹＥＳ）、ＰＩＰ映像生成部１０ａが、メイン画面１１ａに１２セグ映像を表示させると共に、サブ画面１１ｂに１セグ映像を表示させるＰＩＰ映像を生成する（Ｓ１１）。そして、生成されたＰＩＰ映像がディスプレイ１１に表示された後（Ｓ６）、上記Ｓ１以降の処理を繰り返す。
【００２７】
一方、上記Ｓ１の判定の結果、１２セグデジタル信号のエラーレートが誤り訂正可能な範囲を超えている場合（Ｓ２でＮＯ）、受信状態判定部１０ｃは、１セグデジタル信号のエラーレートを判定する（Ｓ３）。
【００２８】
そして、上記Ｓ３の判定の結果、１セグデジタル信号の受信状態よりも、１２セグデジタル信号の受信状態の方が悪化している場合、つまり、１セグデジタル信号のエラーレートよりも１２セグデジタル信号のエラーレートの方が高い場合（Ｓ４でＹＥＳ）、ＰＩＰ映像生成部１０ａが、メイン画面１１ａに１セグ映像を表示させると共に、サブ画面１１ｂに１２セグ映像を表示させるＰＩＰ映像を生成する（Ｓ５）。そして、生成されたＰＩＰ映像がディスプレイ１１に表示された後（Ｓ６）、上記Ｓ１以降の処理を繰り返す。
【００２９】
一方、上記Ｓ３の判定の結果、１セグデジタル信号の受信状態よりも、１２セグデジタル信号の受信状態の方が悪化していない場合（Ｓ４でＮＯ）、上記Ｓ１１の処理を行う。そして、生成されたＰＩＰ映像がディスプレイ１１に表示された後（Ｓ６）、上記Ｓ１以降の処理を繰り返す。
【００３０】
次に、上記図４に示したＰＩＰ映像の切替処理の変形例の手順について、図５に示すフローチャートを参照して説明する。ここでは、１２セグチューナ２２がＡ放送局から配信されたデジタルＴＶ放送信号を受信しており、１セグチューナ３２がＢ放送局から配信されたデジタルＴＶ放送信号を受信しているものとする。
【００３１】
なお、説明の便宜上、Ａ放送局から配信された１２セグメントのデジタルＴＶ放送信号に基づく１２セグデジタル信号を「１２セグデジタル信号Ａ」と示し、Ｂ放送局から配信された１２セグメントのデジタルＴＶ放送信号に基づく１２セグデジタル信号を「１２セグデジタル信号Ｂ」と示す。また、Ａ放送局から配信された１セグメントのデジタルＴＶ放送信号に基づく１セグデジタル信号を「１セグデジタル信号Ａ」と示し、Ｂ放送局から配信された１セグメントのデジタルＴＶ放送信号に基づく１セグデジタル信号を「１セグデジタル信号Ｂ」と示す。
【００３２】
まず、受信状態判定部１０ｃが、１２セグデジタル信号Ａのエラーレートを判定し（Ｓ２１）、その判定の結果、エラーレートが誤り訂正可能な範囲である場合（Ｓ２２でＹＥＳ）、ＰＩＰ映像生成部１０ａが、メイン画面１１ａに、１２セグデジタル信号Ａに基づく１２セグ映像を表示させると共に、サブ画面１１ｂに、１セグデジタル信号Ｂに基づく１セグ映像を表示させるＰＩＰ映像を生成する（Ｓ３１）。そして、生成されたＰＩＰ映像がディスプレイ１１に表示された後（Ｓ２７）、上記Ｓ２１以降の処理を繰り返す。
【００３３】
一方、上記Ｓ２１の判定の結果、１２セグデジタル信号Ａのエラーレートが誤り訂正可能な範囲を超えている場合（Ｓ２２でＮＯ）、受信状態判定部１０ｃは、１セグチューナ３２が受信する放送局を、１２セグチューナ２２が受信している放送局と同じ放送局（ここでは、Ａ放送局）のデジタルＴＶ放送信号を受信させた後（Ｓ２３）、Ａ放送局から配信されたデジタルＴＶ放送信号に基づく１セグデジタル信号Ａの受信状態を判定する（Ｓ２４）。なお、１２セグチューナ２２の受信する放送局と１セグチューナ３２が受信する放送局が同じ場合、上記Ｓ２３の処理は省略できる。
【００３４】
そして、上記Ｓ２４の判定の結果、１セグデジタル信号Ａの受信状態よりも、１２セグデジタル信号Ａの受信状態の方が悪化している場合、つまり、１セグデジタル信号Ａのエラーレートよりも１２セグデジタル信号Ａのエラーレートの方が高い場合（Ｓ２５でＹＥＳ）、ＰＩＰ映像生成部１０ａが、メイン画面１１ａに１セグデジタル信号Ａに基づく１セグ映像を表示させると共に、サブ画面１１ｂに１２セグデジタル信号Ａに基づく１２セグ映像を表示させるＰＩＰ映像を生成する（Ｓ２６）。
【００３５】
そして、生成されたＰＩＰ映像がディスプレイ１１に表示された後（Ｓ２７）、上記Ｓ２１以降の処理を繰り返す。なお、上記Ｓ２６の処理において、サブ画面１１ｂには、１セグチューナ３２によって受信されていた放送局（ここではＢ放送局）を１２セグチューナ２２が受信することにより、サブ画面１１ｂに１２セグデジタル信号Ｂに基づく１２セグ映像が表示されてもよい。
【００３６】
一方、上記Ｓ２４の判定の結果、１セグデジタル信号Ａの受信状態よりも、１２セグデジタル信号Ａの受信状態の方が悪化していない場合（Ｓ２５でＮＯ）、１セグチューナ３２が上記Ｓ２３による変更前の放送局（ここではＢ放送局）のデジタルＴＶ放送信号を受信させた後（Ｓ２８）、上記Ｓ３１の処理を行った後、上記Ｓ２７の処理を行う。
【００３７】
上述したように、本実施形態に係るＴＶ受像機１によれば、ＰＩＰ映像生成部１０ａが、メイン画面１１ａに１２セグ映像を表示させつつ、サブ画面１１ｂに１セグ映像を表示させるＰＩＰ映像を生成し、ディスプレイ１１がこのＰＩＰ映像を表示すると共に、受信状態判定部１０ｃが、１２セグデジタル信号の受信状態を判定する。そして、その判定の結果、１２セグデジタル信号が所定の状態よりも悪化しているとき、受信状態判定部１０ｃが、１セグデジタル信号の受信状態を判定し、その判定の結果、１セグデジタル信号の受信状態が１２セグデジタル信号の受信状態よりも悪化していない場合、ＰＩＰ映像生成部１０ａが、メイン画面１１ａに１セグ映像を表示させつつ、サブ画面１１ｂに１２セグ映像をさせるＰＩＰ映像を生成し、ディスプレイ１１がこのＰＩＰ映像を表示する。
【００３８】
そのため、ＰＩＰ映像のメイン画面１１ａに表示されている１２セグ映像の受信状態が所定の状態より悪化したとき、１セグ映像の受信状態が１２セグ映像の受信状態よりも低下していない場合に、メイン画面１１ａに１セグ映像が表示される。従って、デジタルＴＶ放送信号の受信状態に合わせた視認性の良い映像をメイン画面に表示することができるため、ユーザにとって使い勝手が良くなる。また、メイン画面１１ａは、自動的に視認性のよい映像に切り替るので、ユーザの手間を軽減させることができる。
【００３９】
また、１２セグチューナ及び１セグチューナによるデジタルＴＶ放送信号の受信状態の判定は、同一放送局から配信されるデジタルＴＶ放送信号について行われるため、精度のよい受信状態の判定を行うことができる。
【００４０】
なお、本発明は、上記実施形態の構成に限られず、発明の趣旨を変更しない範囲で種々の変形が可能である。例えば、上記の実施形態において、ＴＶ受像機１が、１セグチューナ３２を１つ備える例を示したが、これに限られず、１セグチューナを２つ備え、一方を１２セグチューナ２２の受信状態の判定比較専用としてもよい。
【図面の簡単な説明】
【００４１】
【図１】本発明の一実施形態に係るＴＶ受像機の内部構成を示すブロック図。
【図２】上記ＴＶ受像機のデジタルチューナ部１４の内部構成を示すブロック図。
【図３】（ａ）（ｂ）は、上記ＴＶ受像機におけるＰＩＰ映像の示す説明図。
【図４】上記ＴＶ受像機のデジタルＴＶ放送信号の受信状態におけるＰＩＰ映像の切替処理の手順を示すフローチャート。
【図５】上記ＰＩＰ映像の切替処理の変形例の手順を示すフローチャート。
【符号の説明】
【００４２】
１  ＴＶ受像機（デジタル放送受信装置）
１０ａ  ＰＩＰ映像生成部（ＰＩＰ映像生成手段）
１０ｃ  受信状態判定部（受信状態判定手段）
１１  ディスプレイ（映像表示手段）
１１ａ  メイン画面
１１ｂ  サブ画面
２２  １２セグチューナ（第１デジタルチューナ）
２３  第１復調部（第１復調手段）
３２  １セグチューナ（第２デジタルチューナ）
３３  第２復調部（第２復調手段）
【図１】
2009272880.tif 000003
【図２】
2009272880.tif 000004
【図３】
2009272880.tif 000005
【図４】
2009272880.tif 000006
【図５】
2009272880.tif 000007